(57)【要約】      （修正有）【課題】あらゆる物に脱着可能なスマートフォンケースを提供する。【解決手段】ケース本体をスマートフォンに外嵌固定して装着するスマートフォンケース１において、ケース本体２に、あらゆる物に脱着可能なスナップフック等を取り付けられるような機能を持つ金属製フック９を設けることにより構成される。上記金属製フック９は、上記スマートフォンケース１の上面部、底面部、両側面部、背面部に任意であらゆる位置に設けることができる。【選択図】図１
0003203073.tif 000002
【実用新案登録請求の範囲】
【請求項１】
ケース本体をスマートフォンに外嵌固定して装着するスマートフォンケースにおいて、ケース本体に
あらゆる物に脱着可能なスナップフック等を取り付けられるような機能を持つ金属製フックを設けることにより構成されるスマートフォンケースである。
【請求項２】
上記金属製フックは、上記スマートフォンケースの上面部、底面部、両側面部、背面部に任意であらゆる位置に設けることができるスマートフォンケースである。
【考案の詳細な説明】
【技術分野】
【０００１】
本考案は、スマートフォンに装着されるスマートフォンケースに関し、あらゆる物に
脱着可能なスマートフォンケースに関するものである。
【背景技術】
【０００２】
従来のスマートフォンケースは、ケース本体をスマートフォンに外嵌固定して装着するようにしたものがあるが、その種のケース本体には、あらゆる物に脱着可能なスナップフック等の取り付け器具
を取り付けられる金属製のフックがなかった。
【先行技術文献】
【特許文献】
【０００３】
【特許文献１】実用新案登録第３１７８６１２号広報
【特許文献２】実用新案登録第３１８３５１７号広報
【考案の概要】
【考案が解決しようとする課題】
【０００４】
その為に、鞄やポケットなどに収納し外出している時、特に作業中、街中、賑やかなイベント等では、着信音が聞こえづらいという問題点があった。また、鞄やポケットから取り出さないと、時間やメールの確認などの画面操作が出来ないという問題点があった。  
【０００５】
なお、上記特許文献１の考案は、ストラップなど細い紐状のものしか付けられず、容易にスマートフォン本体から脱着出来ず、又、ストラップなど細い紐状のものしか付けられないので強度にも問題点があった。  
【０００６】
特許文献２の考案は、スマートフォンケースに吊り下げ用の紐を取り付けることができ、スマートフォンを特に首から吊り下げるという考案だが、特に作業中など、吊り下がったスマートフォンが、体を前屈した状態、あるいはしゃがんだ状態の時に、地面に接触、又、荷物を持ち上げ時、あるいは、持ち運び時に荷物などに接触し傷などの破損又は、作業効率の減少と言う可能性が考えられる。
【課題を解決するための手段】
【０００７】
本考案は、上記の問題点を解決するための手段として、ケース本体をスマートフォンに外嵌固定して装着する種のスマートフォンケースにおいて、衣類、鞄、特にベルトループや鞄などあらゆる物に脱着可能なスナップフック等を取り付けられるような機能を持つ金属製フックを備えるスマートフォンケースである。
【０００８】
本考案はまた、上記フックが、上記スマートフォンケースの背面部、底面部、上面部、側面部に任意で設ける事ができ、衣類、鞄に容易に脱着する事が可能である。（図面６参照）
【考案の効果】
【０００９】
上述したように、本考案は、上記スマートフォンケースに、あらゆる物に容易に脱着可能なスナップフック等を取り付けられるような機能を持つ金属製フックを設ける事により、鞄や衣類、特にベルトループや鞄などに容易に取り付けられ、外出している時や特に作業中、街中、賑やかなイベント等での着信音などの確認が容易になる。（図６参照）
【００１０】
また、鞄やポケットから取り出さなくても時間やメールの確認などの画面操作が容易にできる。
さらに、キーホルダーなども取り付けられる。また、スマートフォンケースのデザインによっては、
ファッション性を高めることが期待できる。（図６参照）また、フック又は留め具は、金属で構成されているため係合する部材も金属でも十分対応する。また、耐久性にもすぐれる。
【図面の簡単な説明】
【００１１】
【図１】本考案のスマートフォンケースの平面図
【図２】本考案のスマートフォンケースの側面図
【図３】スマートフォン本体フック部の部分断面図
【図４】フック、留め具の平面図と断面図
【図５】フックの配置イメージパターン図
【図６】装着時のイメージ図
【考案を実施するための形態】
【００１２】
以下、本考案の実施の形態を図に基づいて説明する。
【００１３】
図４にあるフック９と留め具１１が一体している部材、又はフック９と接着留め具７が一体している部材をスマートフォンケース１に圧着もしくは接着することで構成されたスマートフォンケース１である。
【００１４】
上記圧着するための方法として、留め具１１の留め具孔１２に圧着留め具１０−aと圧着留め具１０を挟み込み継合し圧着する。また、スマートフォン本体２に傷が入らないように、保護シート１３を留め具１１の上から貼る。（図３参照）
【００１５】
上記接着の方法として、接着留め具７に接着剤を塗布しスマートフォンケース１に接着する。また、接着留め具７の接着孔８からも塗布することで接着強度を高める。また、スマートフォン本体２に傷が入らないように保護シート１３を接着留め具７の上から貼る。（図３参照）
【００１６】
フック９は、両方向に自由に回転する部材である。（図４、A参照）そのため、スマートフォン本体２があらゆる動きをしてもフック９が両方向に自由に回転することにより応動し、衝撃を軽減することが可能である。
【００１７】
接着方式、又は圧着方式の使い分けとしては、スマートフォンケースの材質によって選択するものとする。
【００１８】
フック９は、背面部３又は側面部４あるいは上面部６、底面部５などに任意であらゆる位置に設けることができる。（図２、図５参照）
【００１９】
フック９はスマートフォンケース１に任意で自由な位置に設けてもいいが、スマートフォンケース１の
隅の方に設けることによりスマートフォン本体２が傾き、特に座ったときなど、椅子などの物に対応して
自在に動き応動するのである。（図６参照）
【００２０】
フック９又は留め具７、１０、１０−a、１１は、金属で構成されているため係合する部材も金属でも十分対応する。また、耐久性にもすぐれる。
【００２１】
接着留め具７、留め具１１は、スマートフォンケース１に圧着または接着し固定するときに、スマートフォンケース１の背面部３、側面部４、上面部６、底面部５の厚みによって留め具曲成部７−a,11-aのように角度をつけて形成される部材である。（図３、図４参照）
【符号の説明】
【００２２】
１  スマートフォンケース
２  スマートフォン本体
３  背面部
４  側面部
５  底面部
６  上面部
７  接着留め具
7-a 留め具曲成部
８  接着孔
９  フック
１０  圧着留め具
１０−a圧着留め具
１１  留め具
１１−a 留め具曲成部  
１２  留め具孔
１３  保護シート
【図１】
0003203073.tif 000003
【図２】
0003203073.tif 000004
【図３】
0003203073.tif 000005
【図４】
0003203073.tif 000006
【図５】
0003203073.tif 000007
【図６】
0003203073.tif 000008